(57)【要約】【課題】軸組簡易加工と加工部材の在庫、鉄筋、鋼材と木造軸組の組合せにより高耐震建築と工期短縮によるローコストの実現。【解決手段】  木造軸組の規格簡易加工材の在庫、鋼材と木造軸組の組合せによる高耐震建築と、外部作業の天候による工期の延びを無くし、外部足場上の作業を不要にし、安全性を高くし作業能率を高める、作業場で軸組を組み上げ、外壁仕上げをした、各スパンを現場に搬入して、クレーン車にて建て込み、内部造作で完了する鉄筋鋼木構造建築とシステム工法。【選択図】なし【特許請求の範囲】
【請求項１】
丸ホゾ穴とボールト穴加工の土台、柱の両端に丸ホゾと材軸方向に貫通する穴、胴差を上下分割し丸ホゾ穴、上場にアングル収容の水平方向のシャクリ溝と接合高ナット穴、ボールト穴の下胴差、柱下場に掻き取り穴と上場に丸穴とボールト穴を設けた上胴差、両端に雄ネジを設けた異形鉄筋のボールト貫通固定の柱、を土台丸穴に差しナット締め、厚合板を柱に嵌め、高ナットを胴差穴にねじ込む、穴加工のアングルをシャクリ溝に嵌め、楕円アイボールトで締めて固定し、一階各軸組を組み上げる、鉄筋鋼木構造軸組。
【請求項２】
丸ホゾ穴とボールト穴を設けた桁、柱心に穴加工のフラットバー、前記上胴差の穴に、異形鉄筋の一端鉤加工ボールトを前記柱に貫通固定の二階柱を差し、厚合板を嵌め固定、前記桁を差し込み前記フラットバーを嵌めナット締めで二階各スパン組み上げの鉄筋鋼木構造軸組。
【請求項３】
前記組立の各軸組に合板に接着剤塗布し釘打ち、所要開口部にサッシ枠を取付、外壁張り仕上げの各スパンを現場搬入、クレーン車にて一階を建て込む、角部下胴差と上胴差がクロス接合で緊結になり耐震上有効となる、二階床パネルを嵌め込み固定、二階建て込み足場とし、二階各スパンをクレーン車にて吊り上げ、鉤部を楕円アイボールトに差し込み、上下階ナット締めで緊結し、建て込む事で外部足場不要を特徴とする請求項１、２記載の鉄筋鋼木構造建築の施工方法。
【発明の詳細な説明】
【技術分野】
【０００１】    本発明は鉄鋼と木材の組合せによる高耐震性の木構造建築に関するものである。
【背景技術】
【０００２】  従来の木構造建築は、一棟毎に建築技能者が図面にもとずき墨付けをし加工する。
（プレカット加工もある）加工が終了すれば現場搬入して建てる。雨天が続くと工期が延びる、外部足場を架けて接合部を金物で補強をするが耐震上補強は十分とは言えない、又足場上の作業は、危険性が高く作業能率が悪い。【０００３】  従来の一棟毎の墨付けと加工は、部材を加工し在庫する事が出来ない、従来工法では作業場等では組立と外壁仕上げまでは不可能で、天候等で工期短縮に繋がらない。
【発明の開示】
【発明が解決しようとする課題】
【０００４】  解決する問題点は、木構造軸組を加工し、在庫が出来ないため工期の短縮が出来ない。耐震性の補強金物も十分ではない、外部の足場上の作業は危険性が高く作業能率が悪い又長期雨天では作業中止で工期が長くなる問題点がある。
【課題を解決するための手段】
【０００５】  本発明は、このような従来の問題点を解決しようとするもので、木造軸組の接合部が地震時の引っ張り力に弱い、これに対応するため、鋼材と木造軸組を組み合わせることで、それぞれの長所を有効に活用し、耐震性を高める叉軸組接合部を簡易加工による欠損を最小限にする、加工材の在庫と、外部足場作業が不要で工期短縮と、安全性が確保される工法を提供することを目的とする。【０００６】  本発明は、柱の心に材軸方向に鉄筋貫通の穴を設け、異形鉄筋の両端に雄ネジを設けた鉄筋を貫通し固定、横架材に接合高ナット（カプラー）と楕円アイボールトで、上下階を緊結接合し各スパンの軸組を組みあげ、外壁までの仕上げを作業場で完了し、現場搬入してクレーン車で建て込む、外部足場での作業を不要にして安全性を高め、簡易加工軸組と鋼材の緊結が高耐震となり、工期短縮がローコストにも繋がるものである。
【発明の効果】
【０００７】  本発明によれば、軸組の接合部の欠損が少なく、加工部材の在庫が出る事で工期の短縮になる、胴差（梁）を上、下分割したことで角部接合ガクロスして建て込みとなり、鋼材で緊結される事が高耐震となる。加工簡易と組立作業がボールト締めで特技が必要ない、従来の建築より雨天の影響が少ない、外部足場作業の不要等によりローコストとなる。
【実施例】
【０００８】  本発明の鉄筋鋼木造建築は、図１及び図２が示すように基礎と軸組が鉄筋と高ナットにより緊結される事が耐震上有効である。基礎Ｋの鉄筋Ｋｔで各規格寸法柱Ｈ１に貫通の異形鉄筋Ｔ１に接続の柱アンカーボールトＨａに、高ナットＴｎ（カプラー）を全体ねじ込み発泡スチロールで囲い固定、型枠を組み生コンクリートを打設する、土台Ｄ固定の所要アンカーボールトＡｂを所定位置に差し込む、コンクリート硬化後型枠をばらし、発泡スチロールを撤去すると高ナット締め付けの回転スペースＫａが確保できる。
角材に丸ホゾ穴Ｍａと所要アンカーボールト穴Ａｂを設けた土台Ｄ、柱（二つ割り穴シャクリ接着合わせ柱Ｈ１ｆ、及び集成柱Ｈ１ｓ）の中心の材軸方向に異形鉄筋貫通穴Ｔａを設け、両端に丸短ホゾを設ける、両端雄ネジを設けた異形鉄筋Ｔ１を前記柱に貫通し、モルタル圧入固定の一階柱Ｈ１、前記鉄筋の一端を鉤加工し、鉤と平行に鉤径分、間をあけピンＤｔを溶接合の異形鉄筋Ｔ２を貫通モルタル圧入固定の二階柱Ｈ２、（異形鉄筋Ｔ２をペイント塗装し貫通の各柱は鉄筋径の穴寸法の加工穴）、壁部となる柱は厚合板嵌め込みのシャクリ溝Ｇｓを設ける。柱の材軸に鉄筋貫通穴は３Ｍまでドリルで貫通可能（ドリルメーカーによる）【０００９】  横架材胴差（叉は梁、）二分割し所要丸短ホゾ穴Ｍａと高ナットＴｎ（カプラー）穴Ｎａと、所要ボールトＤｂ穴を設け、上場に等辺山形鋼Ｄａ（アングル）嵌め込みのシャクリ溝Ａｓを設けた下胴差Ｄ１、（梁ｋｈ）所要丸短ホゾ穴と所要締め付けボールトＤｂ穴を設け、前記丸穴Ｍａの下欠き取り部Ｄｃ（Ｔ２一端の鉤部のナット締め穴）を設けた上胴差Ｄ２。横架材の所要柱心位置に丸ホゾ穴Ｍａと異形鉄筋Ｔ２貫通穴を設けた桁、梁Ｋｈ。【００１０】  所要寸法の等辺山形鋼（アングル）の一辺に所要穴Ｔａを設け、胴差Ｄ１に嵌め込みの等辺山形鋼Ｄａ、帯鋼（フラットバー）に所要柱心にボールト穴を設けたフラットバーＦＦＢ、。【００１１】  上記各部材で一階ワンスパン軸組組立と外壁仕上げは、作業場に規格寸法の組立架台を設置、土台Ｄ、柱Ｈ１、下胴差Ｄ１を配置し、柱Ｈ１を土台Ｄのホゾ穴に差し込み丸座金を入れ、ナット締め付け、次ぎに下胴差Ｄ１に所要柱Ｈ１の丸短ホゾｍｈを差し込み、高ナットＴｎを定位置までねじ込み等辺山形鋼Ｄａをシャクリ溝に嵌め込み楕円アイボールトＤｒをねじ込み緊結固定し、組み上げる、スパン壁部組立は胴差Ｄ１叉は梁、桁ｋｈを嵌め込む前に、厚合板を柱Ｇｓのシャクリ溝に嵌め込み固定し胴差Ｄ１、（梁Ｋｈ）を差し込み組み上げる耐震壁。間柱Ｍ枠を設置固定し、柱、間柱にボンド塗布し、構造用合板を釘打ち（１Ｍ当たり８本）し、防水紙を張り上げ、開口部にサッシ枠を取付てサイディング張りとコーキングでワンスパンが組み上がる、一階所要スパンを組み上げる。【００１２】  二階ワンスパン軸組組立と外壁仕上げは上記架台に上胴差Ｄ２、柱Ｈ２を配置柱の外部面を右にして上胴差丸ホゾ穴の楕円穴ｐａに差し込み１／４回転外部面を上に固定する。次ぎに桁、又は梁Ｋｈの丸ホゾ穴に柱Ｈ２を差し込みフラットバーＦＢを差し、ナット締めして組み上げる。壁部は前記壁部と各スパン外壁仕上げは一階に準じる。【００１３】  所要壁面各スパンが完了すれば現場にトラックで搬入し、一階のコーナーサィディング張りスパン壁面から、それぞれの楕円アイボールトＤｒにワイヤを架けてクレーン車にて吊り上げ組み建てる、一階が組み上がれば、厚合板二階床パネル２ｐを嵌め込み固定すると、二階組建ての足場となり順調に建て込みが進む。【００１４】  二階スパン壁面の桁、又は梁Ｋｈ上場Ｔ２のナットＮ上にアイナットＩｎをそれぞれねじ込みワイヤを架けて、クレーン車にて吊り上げ、下げながら組み建てる、外側から内側にスライドしてＤｒの穴にＴ２の鉤部を差し込みナットＮで締め付け緊結し組み建てる。角部下胴差Ｄ１（下二階梁）と上胴差Ｄ２（上二階梁）がクロス接合で緊結になり、耐震上有効となる、それぞれの壁面の組み建てが完了すれば棟木取付固定、屋根パネルＹｐを固定しルーヒング張りして、コロニアルＫｒ葺き上げで完了となる。内部造作が終われば竣工となる。二階組立を繰り返せば三階建てとなる。
【産業上の利用可能性】
【００１５】  上述の発明は、規格寸法と簡易加工で加工材の在庫が出来て、工場作業が多く雨天の影響が少なく工期の短縮と外部足場不要は安全性と共にローコストに繋がり利用性は高い。
【図面の簡単な説明】
【００１６】
【図１】軸組組立工法の斜視図である。
【図２】異形鉄筋接続図である。
【図３】各断面加工詳細図である。
【図４】土台、胴差、桁詳細図である。
【図５】等辺山形鋼、帯鋼、壁面厚合板収まり図である。
【符号の説明】
【００１７】Ｋ…基礎
Ｋａ…基礎高ナツト回転穴
Ｋｔ…基礎異形鉄筋
Ｋｐ…合成ゴムパッキン
Ｄ…土台
Ａｂ…土台アンカーボールト
Ｈ１…一階柱（Ｈ１ｆ、Ｈ１ｓ）
Ｈ２…二階柱（Ｈ１ｆ．Ｈ１ｓ）
Ｈａ…柱アンカーボールト
Ｈｍ…柱両端丸短ホゾ
Ｈ１ｆ…二つ割り柱
Ｈ１ｓ…集成柱
Ｈｈ…半柱
Ａｓ…アングル嵌め込みシャクリ溝
ＡＧ…壁部の筋違兼用厚合板
Ｔ１…一階柱貫通の両端ネジ切異形鉄筋
Ｔ２…二階柱貫通の両端ネジ切異形鉄筋（一端鉤加工上にピン溶接合）
Ｔｎ…高ナット（六角又は丸管カプラー）
Ｄ１…下胴差（下梁）
Ｄａ…各柱中心に穴を設けた等辺出形鋼（アングル）
Ｄｂ…上下胴差締め付けボールト
Ｄ２…上胴差（上梁）
Ｄｃ…上胴差柱下掻き取りナット締め空洞部
Ｄｒ…楕円アイボールト
Ｄｔ…Ｔ２接合ピン
Ｉｎ…吊り上げ用アイナット
Ｋｈ…桁、梁
Ｋｒ…コロニアル
Ｗ…丸ワッシャー
Ｎ…ナット
Ｎａ…高ナット収容穴
Ｍ…間柱
Ｍａ…丸浅穴
ｍｈ…柱丸短ホゾ
Ｍｔ…モルタル
ｍｋ…見切り縁
Ｔａ…鉄筋貢通穴
Ｓ…外壁サイディング
Ｓｋ…サイディングコーナー
Ｋｇ…下地合板
Ｃ…コーキング
２ｐ…二階床パネル
Ｙｐ…屋根パネル
Ｐｙ…Ｔ２一端溶接ピン
Ｃｂ…小屋梁
Ｔｂ…手違いボールト
【図１】
2011247067.tif 000002
【図２】
2011247067.tif 000003
【図３】
2011247067.tif 000004
【図４】
2011247067.tif 000005
【図５】
2011247067.tif 000006